(57)【要約】【課題】昇降棚の下部に、換気フードを片持ち支持状態で取付ける場合であっても、昇降棚が捩れで歪まないように工夫したキッチン設備を提供する。【解決手段】フロアキャビネット１近傍の天井側に電動式の昇降棚ユニット２（Ａ）が設置され、昇降棚ユニット２（Ａ）の昇降棚８Ａを遠隔操作で昇降等させるとともに、昇降棚８Ａの側方位置に換気フード９のダクト１８が配置されて、昇降棚８Ａの下部に、上昇時にダクト１８に連結される換気フード９が片持ち支持状態で取付けられているキッチン設備であって、昇降棚８Ａは、上部ブラケット２２のスライダー（ガイド部材）２３が昇降棚ユニット２（Ａ）内部のガイドレール２０に嵌合して上下方向にスライドガイドされるとともに、昇降棚８Ａの上部には、奥行き方向に延在する補強板２１が固定され、この補強板２１に上部ブラケット２２が固定されている。【選択図】図６
2008099795.tif 000002
【特許請求の範囲】
【請求項１】
フロアキャビネット近傍の天井側に電動式の昇降棚ユニットが設置され、昇降棚ユニットの昇降棚を遠隔操作で昇降等させるとともに、昇降棚の側方位置に換気フードのダクトが配置されて、昇降棚の下部に、上昇時にダクトに連結される換気フードが片持ち支持状態で取付けられているキッチン設備であって、
前記昇降棚は、上部ブラケットのガイド部材が昇降棚ユニット内部のガイドレールに嵌合して上下方向にスライドガイドされるとともに、前記昇降棚の上部には、奥行き方向に延在する補強板が固定され、この補強板に前記上部ブラケットが固定されていることを特徴とするキッチン設備。
【請求項２】
前記補強板に、昇降棚の昇降位置を検出する位置センサーが取付けられていることを特徴とする請求項１に記載のキッチン設備。
【発明の詳細な説明】
【技術分野】
【０００１】
本発明は、フロアキャビネット近傍の天井側に電動式の昇降棚ユニットが設けられたキッチン設備に関する。
【背景技術】
【０００２】
従来、フロアキャビネット近傍の天井側に電動式の昇降棚ユニットが設置され、フロアキャビネット側に、昇降棚ユニットの昇降棚を遠隔操作で昇降等させるためのスイッチ装置が配置されたキッチン設備が提案されている（特許文献１参照）。
【０００３】
また、昇降棚の側方位置に換気フードのダクトが配置されて、昇降棚の下部に、側方位置のダクトとの関係で、上昇時にダクトに連結される換気フードが片持ち支持状態で取付けられているキッチン設備も提案されている。
【特許文献１】特開２００６−４３２９２号公報
【発明の開示】
【発明が解決しようとする課題】
【０００４】
ところで、昇降棚の下部に、側方位置のダクトとの関係で、換気フードが片持ち支持状態で取付けられている場合、換気フード自体も重量があることから、昇降棚から見れば、重量バランスが取れていないことになる。このため、昇降棚の上部ブラケットのガイド部材が昇降棚ユニット内部のガイドレールに嵌合して上下方向にスライドガイドされるように構成した場合、上部ブラケットのガイド部材は、ガイドレールに嵌合しているので、上部ブラケットの位置は動かないことから、換気フードの偏った重量が昇降棚にそのまま作用するので、昇降棚が捩れで歪むおそれがあるという不具合があった。
【０００５】
本発明は、前記問題を解消するためになされたもので、昇降棚の下部に、換気フードを片持ち支持状態で取付ける場合であっても、昇降棚が捩れで歪まないように工夫したキッチン設備を提供することを目的とするものである。
【課題を解決するための手段】
【０００６】
前記課題を解決するために、本発明は、フロアキャビネット近傍の天井側に電動式の昇降棚ユニットが設置され、昇降棚ユニットの昇降棚を遠隔操作で昇降等させるとともに、昇降棚の側方位置に換気フードのダクトが配置されて、昇降棚の下部に、上昇時にダクトに連結される換気フードが片持ち支持状態で取付けられているキッチン設備であって、前記昇降棚は、上部ブラケットのガイド部材が昇降棚ユニット内部のガイドレールに嵌合して上下方向にスライドガイドされるとともに、前記昇降棚の上部には、奥行き方向に延在する補強板が固定され、この補強板に前記上部ブラケットが固定されていることを特徴とするキッチン設備を提供するものである。
【０００７】
請求項２のように、前記補強板に、昇降棚の昇降位置を検出する位置センサーが取付けられていることが好ましい。
【発明の効果】
【０００８】
本発明によれば、昇降棚の下部に、上昇時にダクトに連結される換気フードを片持ち支持状態で取付ける場合であっても、昇降棚の上部に、奥行き方向に延在する補強板を固定し、この補強板に上部ブラケットを固定することにより、換気フードの偏った重量が補強板で受け支えられるので、昇降棚が捩れで歪むおそれなくなる。
【０００９】
請求項２によれば、剛性の高い補強板を合理的に利用して位置センサーを取付けられるので、別部品である取付け部材が不要になって、部品点数が削減できるようになる。
【発明を実施するための最良の形態】
【００１０】
以下、本発明を実施するための最良の形態について、図面を参照しながら詳細に説明する。
【００１１】
図１および図２に示すように、キッチン設備として、フロアキャビネット１が設置されているとともに、フロアキャビネット１近傍の天井側に電動式の昇降棚ユニット２（Ａ〜Ｃ）が設置されている。
【００１２】
フロアキャビネット１の上には、シンク３や電磁調理器４等が配置され、フロアキャビネット１の前面側には、シンク３に対応させて、引き出し可能な収納イス５が設けられている。
【００１３】
昇降棚ユニット２（Ａ〜Ｃ）は、電動式であり、各昇降棚ユニット２（Ａ〜Ｃ）の昇降棚８Ａ，８Ｂ，８Ｃは、それぞれ独立に昇降できるようになっている。
【００１４】
中央位置と右側位置の昇降棚ユニット２（Ｂ），２（Ｃ）の昇降棚８Ｂ，８Ｃは、フロアキャビネット１側、例えばシンク３の前部に設けたリモコン収納バー６のリモコン本体（具体的に図示せず。）によって、上昇・下降・停止等を遠隔操作することができる。
【００１５】
左側の昇降棚ユニット２（Ａ）の昇降棚８Ａは、フロアキャビネット１側、例えば図８に示すように、電磁調理器４の前部に設けたスイッチパネル３４の上昇スイッチ３４ａと下降スイッチ３４ｂとによって、上昇・下降・停止等を遠隔操作することができる。
【００１６】
左側位置の昇降棚ユニット２（Ａ）は、電磁調理器４の真上に位置するように設置されていて、この昇降棚ユニット２（Ａ）の昇降棚８Ａの下部には、電磁調理器４に対向する換気フード９が取付けられ、この換気フード９の左側部分のダクト部９ａにフィルターや換気扇（不図示）が設けられている。したがって、左側位置の昇降棚ユニット２（Ａ）は、昇降棚８Ａとともに換気扇付き換気フード９も昇降するようになる（昇降フード）。
【００１７】
図３〜図６に示すように、昇降棚ユニット２（Ａ）の内部には、前面と下面とが開口した四角形状の収納ボックス１４が設けられ、この収納ボックス１４は、施工時に、フロアキャビネット１の奥側のキッチン壁面に固定されるようになる。この収納ボックス１４の上板１４ａの前面開口側には、幕板（化粧板）１５Ａ（図１、図２参照）がヒンジ結合されて、幕板１５Ａを上方に揺動させると、収納ボックス１４の前面開口を開くことができ、幕板１５Ａを下方に揺動させると、収納ボックス１４の前面開口を閉じることができる。なお、具体的に図示しないが、昇降棚ユニット２（Ｂ），２（Ｃ）の内部にも同様な収納ボックスがそれぞれ設置されて、各収納ボックスを幕板１５Ｂ，１５Ｃで開閉することができる。
【００１８】
これらの幕板１５Ａ，１５Ｂ，１５Ｃは、メンテナンス時等に開閉するためのものであって、昇降棚ユニット２（Ａ〜Ｃ）の施工の完了直前に、収納ボックス１４にヒンジ結合するものである。
【００１９】
収納ボックス１４の内部には、昇降棚８Ａの電動昇降機構１７等が収納されているとともに、電動昇降機構１７で上昇された昇降棚８Ａが下面開口側から収納されるようになる（図３参照）。
【００２０】
昇降棚ユニット２（Ａ）の内部の収納ボックス１４の左側方位置には、換気フード９が上昇した時に、換気フード９のダクト部９ａに連結されるダクト１８がキッチン壁面に固定されている。
【００２１】
昇降棚８Ａの下部に取付けられた換気フード９は、電磁調理器４に対向する大型の長方形状に形成されていて、左側方位置のダクト１８との関係で、右側の後隅部分（平面視で約１／４の面積）が昇降棚８Ａの下部に取付けられることになる。したがって、昇降棚８Ａに対して換気フード９は、いわば片持ち支持状態となって、昇降棚８Ａから見れば、重量バランスが取れていないことになる。
【００２２】
収納ボックス１４の左側板１４ｂと右側板１４ｃの内面の前後（奥行き）方向の中間位置には、上下方向に延在するガイドレール２０がそれぞれ固定されている。
【００２３】
昇降棚８Ａの上左部と上右部には、前後（奥行き）幅とほぼ等しい長さで前後（奥行き）方向に延在するＬ字状の剛性補強板２１がねじで固定され、この補強板２１の長さ方向の略中間部に、上下方向に延在する上部ブラケット２２がねじで十字状に固定されている。
【００２４】
上部ブラケット２２には、各ガイドレール２０に嵌合して、ガイドレール２０に沿って上下方向にスライドするスライダー（ガイド部材）２３がそれぞれねじで固定されている。
【００２５】
したがって、昇降棚８Ａは、スライダー２３によって収納ボックス１４のガイドレール２０に沿って上下方向に昇降されるようになる。
【００２６】
収納ボックス１４の上板１４ａの内面には、電動モータ２５と、この電動モータ２５で駆動される２個のドラム２６と、２個のガイドプーリ２７とが配置され、各ドラム２６に巻回された２本のベルト２８が左方と右方にそれぞれ引き出され、各ガイドプーリ２７で下方に曲げられた後に、昇降棚８Ａの左右の上部ブラケット２２に連結されるようになる。
【００２７】
したがって、電動モータ２５の正転で、各ドラム２６から各ベルト２８が巻き戻される（緩められる）ことにより、昇降棚８Ａは下降されるとともに、電動モータ２５の逆転で、各ドラム２６に各ベルト２８が巻き取られる（引っ張られる）ことにより、昇降棚８Ａは上昇されるようになる。
【００２８】
収納ボックス１４の左側板１４ｂの内面には、ガイドレール２０に対してやや傾斜させたセンサーガイド３０が固定されるとともに、昇降棚８Ａの上左部の補強板２１には、センサーガイド３０でガイドされる位置センサー３１が固定されている。位置センサー３１は、例えば図７（ａ）に示すような可変抵抗器であって、操作軸部３１ａがセンサーガイド３０でガイドされることにより、昇降棚８Ａの上昇位置ではｂ位置にスライド移動され、下降位置ではｃ位置にスライド移動されるようになる。
【００２９】
すなわち、図７（ｂ）に示すように、昇降棚８Ａが上昇位置に上昇している場合には、位置センサー３１の操作軸部３１ａは位置ｂにあるから、抵抗が最小で出力電圧は最大の５Ｖとなるので、５Ｖの出力電圧を制御ボックス３２の制御回路で検出すれば、昇降棚８Ａが上昇位置であるという位置検知ができる。また、昇降棚８Ａが下降位置に下降している場合には、位置センサー３１の操作軸部３１ａは位置ｃにあるから、抵抗が最大で出力電圧は最小の０Ｖとなるので、０Ｖの出力電圧を制御ボックス３２の制御回路で検出すれば、昇降棚８Ａが下降位置であるという位置検知ができる。したがって、出力電圧が５Ｖ〜０Ｖのどの位置にあるかを検出すれば、昇降棚８Ａがどの高さ位置（昇降位置）にあるかが検出できるようになるから、位置センサー３１による位置検出によって、制御ボックス３２の制御回路で、電動モータ２５の正転・逆転、停止等を自動制御することができる。
【００３０】
収納ボックス１４の上板１４ａの下面の最前部には、スイッチパネル３４の上昇スイッチ３４ａと下降スイッチ３４ｂとは別に、制御ボックス３２に直接接続された上昇スイッチ３５ａと下降スイッチ３５ｂとでなる補助スイッチ装置３５を設けている。
【００３１】
前記キッチン設備では、昇降棚８Ａの上部ブラケット２２のスライダー２３が収納ボックス１４内のガイドレール２０に嵌合して上下方向にスライドガイドされるように構成しているから、本実施形態のような補強板２２が無い場合には、昇降棚８Ａの前後（奥行き）方向の略中間位置に、上下方向に延在する上部ブラケット２２を固定することになる。
【００３２】
ここで、上部ブラケット２２のスライダー２３は、ガイドレール２０に嵌合しているので、上部ブラケット２２の位置は動かないことから、換気フード９の偏った重量（図６の矢印Ｆ参照）が昇降棚８Ａにそのまま作用するので、昇降棚８Ａが捩れで歪むおそれがある。
【００３３】
この対策のために、昇降棚８Ａの上左部と上右部には、前後（奥行き）幅とほぼ等しい長さで前後（奥行き）方向に延在するＬ字状の剛性補強板２１をねじで固定し、この補強板２１の長さ方向の略中間部に、上下方向に延在する上部ブラケット２２をねじで十字状に固定している。
【００３４】
これにより、換気フード９の偏った重量が補強板２１で受け支えられるので、昇降棚８Ａが捩れで歪むおそれなくなる。
【００３５】
また、補強板２１に、昇降棚８Ａの昇降位置を検出する位置センサー３１を取付けているから、剛性の高い補強板２１を合理的に利用して位置センサー３１を取付けられるので、別部品である取付け部材が不要になって、部品点数が削減できるようになる。
【図面の簡単な説明】
【００３６】
【図１】本発明の実施形態に係るキッチン設備で、昇降棚を上昇させた斜視図である。
【図２】本発明の実施形態に係るキッチン設備で、昇降棚を下降させた斜視図である。
【図３】昇降棚を上昇させた昇降棚ユニットの内部正面図である。
【図４】昇降棚を下降させた昇降棚ユニットの内部正面図である。
【図５】昇降棚を下降させた昇降棚ユニットの内部斜視図である。
【図６】昇降棚を下降させた昇降棚ユニットの内部分解斜視図である。
【図７】（ａ）は可変抵抗器の回路図、（ｂ）は昇降棚の高さと電圧との関係のグラフである。
【図８】電磁調理器のスイッチパネルの斜視図である。
【符号の説明】
【００３７】
１      フロアキャビネット
２（Ａ）  昇降棚ユニット
４      電磁調理器
８Ａ    昇降棚
９      換気フード
１４    収納ボックス（収納空間）
１７    電動昇降機構
１８    ダクト
２０    ガイドレール
２１    補強板
２２    上部ブラケット
２３    スライダー（ガイド部材）
２５    電動モータ
３２    制御ボックス
【図１】
2008099795.tif 000003
【図２】
2008099795.tif 000004
【図３】
2008099795.tif 000005
【図４】
2008099795.tif 000006
【図５】
2008099795.tif 000007
【図６】
2008099795.tif 000008
【図７】
2008099795.tif 000009
【図８】
2008099795.tif 000010